【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
燃料を収容する燃料タンクと、
内燃エンジンと、
前記内燃エンジンにより駆動されて発電する発電機と、
前記内燃エンジンを始動するリコイルスターターと、
前記発電機により生成された電力により動作する制御部と、
前記発電機により生成された電力により動作し、かつ、前記制御部により制御され、前記内燃エンジンに燃料を供給するインジェクタと、
前記発電機により生成された電力により動作し、かつ、前記制御部により制御され、前記燃料タンクに収容されている燃料を前記インジェクタに供給する燃料ポンプと、
前記内燃エンジンにおいて圧縮された前記燃料に点火する点火装置と、
前記発電機により生成された電力を前記インジェクタ、前記燃料ポンプおよび前記点火装置に供給する電力線と、
前記電力線に設けられたスイッチであって、前記発電機により生成された電力を前記インジェクタ、前記燃料ポンプおよび前記点火装置に供給するときはオフからオンに切り替えられ、前記発電機により生成された電力を前記インジェクタ、前記燃料ポンプおよび前記点火装置に供給しないときはオンからオフに切り替えられるスイッチと、
前記内燃エンジンの回転数を検知する検知部と
を有し、
前記制御部は、前記リコイルスターターによる前記内燃エンジンの始動期において、前記回転数に基づき前記内燃エンジンが自立回転可能かどうかを判定し、前記内燃エンジンが自立回転可能でなければ前記スイッチをオフのままにして前記点火装置、前記インジェクタおよび前記燃料ポンプに前記発電機からの電力を供給しないことで前記リコイルスターターにかかる荷重を軽減し、前記内燃エンジンが自立回転可能であれば前記スイッチをオフからオンに切り替えて前記点火装置、前記インジェクタおよび前記燃料ポンプに前記発電機からの電力を供給することを特徴とするバッテリーレスのエンジンシステム。
【請求項２】
前記制御部は、前記リコイルスターターによる前記内燃エンジンの始動期において、前記回転数が、前記内燃エンジンが自立回転可能な規定回転数以上になるまでは前記点火装置、前記インジェクタおよび前記燃料ポンプに前記発電機からの電力を供給せず、前記回転数が前記規定回転数以上になると前記点火装置、前記インジェクタおよび前記燃料ポンプに前記発電機からの電力を供給することを特徴とする請求項１に記載のバッテリーレスのエンジンシステム。
【請求項３】
前記制御部は、前記リコイルスターターによる前記内燃エンジンの始動期において、前記検知部により検知された前記回転数が増加している間は前記点火装置、前記インジェクタおよび前記燃料ポンプに前記発電機からの電力を供給せず、前記回転数の増加が終了すると前記点火装置、前記インジェクタおよび前記燃料ポンプに前記発電機からの電力を供給することを特徴とする請求項１に記載のバッテリーレスのエンジンシステム。
【請求項４】
前記制御部は、前記リコイルスターターによる前記内燃エンジンの始動期において、前記検知部により検知された前記回転数から加速度を求め、当該加速度が規定加速度以上であるときは、前記点火装置、前記インジェクタおよび前記燃料ポンプに前記発電機からの電力を供給せず、当該加速度が規定加速度以上でなくなると、前記点火装置、前記インジェクタおよび前記燃料ポンプに前記発電機からの電力を供給することを特徴とする請求項１に記載のバッテリーレスのエンジンシステム。
【請求項５】
前記制御部は、前記検知部により検知された前記回転数から加速度を求め、前記回転数が、前記内燃エンジンが自立回転可能な規定回転数未満であるか、または、当該加速度が規定加速度以上であれば、前記点火装置、前記インジェクタおよび前記燃料ポンプに前記発電機からの電力を供給せず、前記回転数が、前記内燃エンジンが自立回転可能な規定回転数以上となり、かつ、当該加速度が規定加速度未満であれば、前記点火装置、前記インジェクタおよび前記燃料ポンプに前記発電機からの電力を供給することを特徴とする請求項１に記載のバッテリーレスのエンジンシステム。
【請求項６】
燃料を収容する燃料タンクと、
内燃エンジンと、
前記内燃エンジンにより駆動されて発電する発電機と、
前記内燃エンジンを始動するリコイルスターターと、
前記発電機により生成された電力により動作する制御部と、
前記発電機により生成された電力により動作し、かつ、前記制御部により制御され、前記内燃エンジンに燃料を供給するインジェクタと、
前記発電機により生成された電力により動作し、かつ、前記制御部により制御され、前記燃料タンクに収容されている燃料を前記インジェクタに供給する燃料ポンプと、
前記内燃エンジンにおいて圧縮された前記燃料に点火する点火装置と、
前記発電機により生成された電力を前記インジェクタ、前記燃料ポンプおよび前記点火装置に供給する電力線と、
前記電力線に設けられたスイッチであって、前記発電機により生成された電力を前記インジェクタ、前記燃料ポンプおよび前記点火装置に供給するときはオフからオンに切り替えられ、前記発電機により生成された電力を前記インジェクタ、前記燃料ポンプおよび前記点火装置に供給しないときはオンからオフに切り替えられるスイッチと、
前記内燃エンジンの回転数を検知する検知部と
を有し、
前記制御部は、前記リコイルスターターの操作開始から、前記回転数が、前記内燃エンジンが自立回転可能な規定回転数以上になるまでの期間において前記スイッチをオフのままにして前記点火装置、前記インジェクタおよび前記燃料ポンプに前記発電機からの電力を供給しないことで前記リコイルスターターにかかる荷重を軽減し、前記回転数が前記規定回転数以上になった後に前記スイッチをオフからオンに切り替えて前記点火装置、前記インジェクタおよび前記燃料ポンプに前記発電機からの電力の供給を開始することを特徴とするバッテリーレスのエンジンシステム。
【手続補正２】
【補正対象書類名】明細書
【補正対象項目名】０００５
【補正方法】変更
【補正の内容】
【０００５】
本発明によれば、たとえば、
燃料を収容する燃料タンクと、
内燃エンジンと、
前記内燃エンジンにより駆動されて発電する発電機と、
前記内燃エンジンを始動するリコイルスターターと、
前記発電機により生成された電力により動作する制御部と、
前記発電機により生成された電力により動作し、かつ、前記制御部により制御され、前記内燃エンジンに燃料を供給するインジェクタと、
前記発電機により生成された電力により動作し、かつ、前記制御部により制御され、前記燃料タンクに収容されている燃料を前記インジェクタに供給する燃料ポンプと、
前記内燃エンジンにおいて圧縮された前記燃料に点火する点火装置と、
前記発電機により生成された電力を前記インジェクタ、前記燃料ポンプおよび前記点火装置に供給する電力線と、
前記電力線に設けられたスイッチであって、前記発電機により生成された電力を前記インジェクタ、前記燃料ポンプおよび前記点火装置に供給するときはオフからオンに切り替えられ、前記発電機により生成された電力を前記インジェクタ、前記燃料ポンプおよび前記点火装置に供給しないときはオンからオフに切り替えられるスイッチと、
前記内燃エンジンの回転数を検知する検知部と
を有し、
前記制御部は、前記リコイルスターターによる前記内燃エンジンの始動期において、前記回転数に基づき前記内燃エンジンが自立回転可能かどうかを判定し、前記内燃エンジンが自立回転可能でなければ前記スイッチをオフのままにして前記点火装置、前記インジェクタおよび前記燃料ポンプに前記発電機からの電力を供給しないことで前記リコイルスターターにかかる荷重を軽減し、前記内燃エンジンが自立回転可能であれば前記スイッチをオフからオンに切り替えて前記点火装置、前記インジェクタおよび前記燃料ポンプに前記発電機からの電力を供給することを特徴とするバッテリーレスのエンジンシステムが提供される。